(57)【要約】 【課題】  容易で、作業効率良く、様々な種類のコンテンツを利用して所望の画像を記録する。【解決手段】  相対的に小さなサイズの背景画像の画像データをメモリに格納し、相対的に大きなサイズの背景画像の画像データを格納するサーバとネットワークを介して接続し、記録を行おうとする画像の画像データに基づいて記録する際の条件を設定する。そして、設定された条件に基づいて、前記記録を行おうとする画像の画像データと前記メモリに格納された背景画像の画像データまたは前記サーバに前記ネットワークを介してアクセスして前記サーバから取得した背景画像の画像データとを合成する。そして、合成された画像データに基づいて記録する。【選択図】  図２
2009113376.tif 000002
【特許請求の範囲】
【請求項１】
記録を行おうとする画像の画像データに背景画像の画像データを合成して記録することが可能な記録装置であって、
相対的に小さなサイズの背景画像の画像データを格納するメモリと、
相対的に大きなサイズの背景画像の画像データを格納するサーバとネットワークを介して接続するための接続手段と、
前記サーバに前記ネットワークを介してアクセスし、前記サーバに格納された背景画像の画像データを取得する取得手段と、
前記記録を行おうとする画像の画像データを用いて記録する際の条件を設定する設定手段と、
前記設定手段により設定された条件に基づいて、前記記録を行おうとする画像の画像データと前記メモリに格納された背景画像の画像データまたは前記サーバに格納された背景画像の画像データとを合成する合成手段と、
前記合成手段により背景画像の画像データが合成された画像データに基づいて記録する記録手段と、
を有することを特徴とする記録装置。
【請求項２】
前記記録する際の条件は、記録媒体のサイズであることを特徴とする請求項１に記載の記録装置。
【請求項３】
前記合成手段は、前記記録媒体のサイズが予め定められたサイズ以下であれば前記メモリに格納された背景画像の画像データを用いて合成し、前記記録媒体のサイズが前記予め定められたサイズを超えていれば前記サーバに格納された背景画像の画像データを用いて合成することを特徴とする請求項２に記載の記録装置。
【請求項４】
前記サーバのＵＲＬを格納するテーブルをさらに有することを特徴とする請求項１乃至請求項３のいずれか１項に記載の記録装置。
【請求項５】
入力可能な複数の画像から１または複数の画像の選択を記入するためのシートを記録するように前記記録手段を制御する制御手段と、
前記シートを読み取る画像の読み取り手段と、
前記読み取り手段により読み取られユーザにより記入された前記選択に基づいて、前記選択をされた画像に対応する画像データを入力する入力手段と、
をさらに有することを特徴とする請求項１乃至請求項４のいずれか１項に記載の記録装置。
【請求項６】
前記制御手段は、前記入力可能な複数の画像のサムネイル画像と、前記サムネイル画像のそれぞれを選択するか否かを記入する記入部と、を前記シートに記録するよう制御することを特徴とする請求項５に記載の記録装置。
【請求項７】
記録を行おうとする画像の画像データに背景画像の画像データを合成して記録することが可能な記録装置の記録方法であって、
相対的に小さなサイズの背景画像の画像データをメモリに格納する格納工程と、
相対的に大きなサイズの背景画像の画像データを格納するサーバとネットワークを介して接続する接続工程と、
前記記録を行おうとする画像の画像データに基づいて記録する際の条件を設定する設定工程と、
前記設定工程により設定された条件に基づいて、前記記録を行おうとする画像の画像データと前記メモリに格納された背景画像の画像データまたは前記サーバに前記ネットワークを介してアクセスして前記サーバから取得した背景画像の画像データとを合成する合成工程と、
前記合成工程により背景画像の画像データが合成された画像データに基づいて記録する記録工程と、
を有することを特徴とする記録方法。
【発明の詳細な説明】
【技術分野】
【０００１】
本発明は、ネットワークに接続し、ネットワークを介して記録用のコンテンツを入手し、このコンテンツを利用して記録を行うことが可能な記録装置に関する。
【背景技術】
【０００２】
近年のインクジェットプリンタやインクジェット複合機などの記録装置は、文書だけではなく、デジタルカメラなどで撮影した写真などを記録することができる。また、メモリカードを接続する機能を有することにより、パーソナルコンピュータ（ＰＣ）を使用することなく記録装置本体の操作のみによって写真などを記録することができるようになってきている。
【０００３】
写真を記録する際にフレーム（額縁）などの図柄と写真とを合成して記録する機能が搭載される記録装置も様々な文献で開示されている（例えば、特許文献１参照）。一般的には、このような合成記録を行う場合、フレーム画像をホームページなどからダウンロードし、ＰＣの画像編集ソフトを使ってフレーム画像と写真画像を合成し、合成した画像を記録するという処理が行われている。特許文献２には、ネットワークを介して記録用コンテンツを入手する方法が開示されている。
【０００４】
図８は、従来の、ネットワークを介して入手したコンテンツを利用して記録を行うシステムの構成を示す図である。同図において、１は記録装置、２はＰＣである。記録装置１とＰＣ２とは、例えば、ＵＳＢインタフェース３を介して接続されており、このＵＳＢインタフェース３を経由して、ＰＣ２で合成した画像を記録装置１から記録することができる。
【０００５】
なお、４は例えば高速光通信回線に接続されるルータであり、ＰＣ２とは例えばＬＡＮケーブル５により接続されている。ルータ４は、例えば、ＰＣ２を外部ネットワークに接続する際、ＬＡＮケーブル上を伝送されるＥｔｈｅｒｎｅｔ（登録商標）形式のデータを光通信回線データ形式に変換する処理を行う。
【０００６】
６はインターネット上にあるサーバであり、このサーバ上にフレーム画像ファイルなどの記録用コンテンツが格納されている。サーバ６とルータ４は、例えば、光通信回線８により接続され、１００ＭＢｐｓの伝送速度でデータ送受信を行うことができる。
【０００７】
一方、記録装置内にはいくつかの小容量のフレーム画像が格納されており、記録装置本体の操作によって当該フレーム画像と写真画像とを合成して記録することができる。
【０００８】
上記構成のシステムにおいてフレーム画像を合成して記録する場合には、ＰＣ２上のブラウザソフトによってネットワーク上の記録用コンテンツを閲覧し、使用したいフレーム画像をダウンロードする。そして、メモリカードをＰＣ２に接続し、メモリカード内の画像をＰＣ２に読み込ませる。そして、画像処理ソフトを立ち上げて、ダウンロードしたフレーム画像と先に読み込んだメモリカード内の写真画像を合成処理し、記録する。プリンタドライバで生成された記録データが記録装置１に送信され、記録装置１により記録が実行される。
【特許文献１】特開２００５−３９７８５号公報
【特許文献２】特開２００３−７６５３４号公報
【発明の開示】
【発明が解決しようとする課題】
【０００９】
しかしながら、上記のように所望の画像にフレームなどの画像を合成して記録する場合には、以下のような課題があった。
【００１０】
ＰＣを使ってフレームなどの画像を合成して記録する場合には、ＰＣの画像編集ソフトを操作する高度な技術が必要である。また、ＰＣを接続する必要があるために、ＰＣを持っていないユーザはフレーム画像を合成して記録することができない。また、ネットワークから記録用コンテンツをダウンロードする場合、ＰＣがネットワークに接続されていなければならない。さらに、ＰＣがネットワークに接続されていても、ネットワークから記録用コンテンツをダウンロードするには時間がかかるため、使用頻度の高いＬ判の記録媒体に記録する場合の作業効率が良くない。
【００１１】
記録装置のみを使ってフレームなどの画像を合成して記録する場合には、記録装置に数多くのフレーム画像などを格納することは困難である。高品位の記録を行うためには解像度の高い画像データが必要になるが、解像度の高い画像データは容量が大きいため、解像度の高いフレーム画像などを格納するためには大容量のメモリを搭載する必要がありコストアップになるためである。したがって、記録装置に格納できるフレーム画像などの種類は限られる。特に、Ａ４サイズなどの大きなサイズに記録できる画像のファイルサイズは数ＭＢに及ぶため、このような大きなサイズのフレーム画像などを低コストで多く格納することは困難であった。
【００１２】
そこで本発明は、容易で、作業効率良く、様々な種類のコンテンツを利用して所望の画像を記録することが可能な記録装置及び記録方法を提供することを目的とする。
【課題を解決するための手段】
【００１３】
上記課題を解決するための本発明は、記録を行おうとする画像の画像データに背景画像の画像データを合成して記録することが可能な記録装置であって、
相対的に小さなサイズの背景画像の画像データを格納するメモリと、
相対的に大きなサイズの背景画像の画像データを格納するサーバとネットワークを介して接続するための接続手段と、
前記サーバに前記ネットワークを介してアクセスし、前記サーバに格納された背景画像の画像データを取得する取得手段と、
前記記録を行おうとする画像の画像データを用いて記録する際の条件を設定する設定手段と、
前記設定手段により設定された条件に基づいて、前記記録を行おうとする画像の画像データと前記メモリに格納された背景画像の画像データまたは前記サーバに格納された背景画像の画像データとを合成する合成手段と、
前記合成手段により背景画像の画像データが合成された画像データに基づいて記録する記録手段と、
を有することを特徴とする。
【００１４】
また、上記課題を解決するための別の本発明は、記録を行おうとする画像の画像データに背景画像の画像データを合成して記録することが可能な記録装置の記録方法であって、
相対的に小さなサイズの背景画像の画像データをメモリに格納する格納工程と、
相対的に大きなサイズの背景画像の画像データを格納するサーバとネットワークを介して接続する接続工程と、
前記記録を行おうとする画像の画像データに基づいて記録する際の条件を設定する設定工程と、
前記設定工程により設定された条件に基づいて、前記記録を行おうとする画像の画像データと前記メモリに格納された背景画像の画像データまたは前記サーバに前記ネットワークを介してアクセスして前記サーバから取得した背景画像の画像データとを合成する合成工程と、
前記合成工程により背景画像の画像データが合成された画像データに基づいて記録する記録工程と、
を有することを特徴とする。
【発明の効果】
【００１５】
本発明によれば、容易で、作業効率良く、様々な種類のコンテンツを利用して所望の画像を記録することが可能となる。具体的には、Ａ４などの大きなサイズの記録媒体にフレーム合成記録をする場合であっても、大きな容量のフレーム画像を記録装置内のメモリに格納する必要がないため、記録装置のコストを下げることが可能になる。また、使用頻度の高いＬ判などの小さなサイズの記録媒体にフレーム合成記録をする場合には、小さな容量のフレーム画像を記録装置に格納させておくことにより、ダウンロード処理を行うことなく速やかにフレーム合成記録を行うことができる。また、高速通信回線に接続されていない場合やネットワーク接続が困難な時にも、Ｌ判以下のフレーム合成記録を行うことができる。さらに、ユーザが画像サイズを意識することなく、また、ＰＣを使用することなく、簡単な操作でフレーム合成記録を行うことができる。
【発明を実施するための最良の形態】
【００１６】
以下、図面に基づいて本発明の実施例について詳細に説明する。
【００１７】
なお、この明細書において、「記録」（以下、「プリント」とも称する）とは、文字、図形等有意の情報を形成する場合のみならず、有意無意を問わず、広く記録媒体上に画像、模様、パターン等を形成する、又は媒体の加工を行う場合も表すものとする。また、人間が視覚で知覚し得るように顕在化したものであるか否かを問わない。
【００１８】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１９】
また、「インク」とは、上記「記録」の定義と同様広く解釈されるべきもので、記録媒体上に付与されることによって、画像、模様、パターン等の形成又は記録媒体の加工、或いはインクの処理に供され得る液体を表すものとする。インクの処理としては、例えば記録媒体に付与されるインク中の色剤の凝固又は不溶化させることが挙げられる。
【００２０】
（実施例１）
図１は、本発明の実施例である記録装置を使用したシステム構成を示す図である。同図において、１は本発明の実施例である記録装置、２はパーソナルコンピュータ（ＰＣ）である。記録装置１とＰＣ２とは、ＵＳＢインタフェース３を介して接続されており、このＵＳＢインタフェース３を経由して、ＰＣ２で合成した画像を記録装置１から記録することができる。なお、本発明を実施する上で、ＰＣ２は必須のものではない。
【００２１】
なお、４は高速光通信回線に接続されるルータであり、ＰＣ２とはＬＡＮケーブル５により接続されている。ルータ４は、記録装置１及びＰＣ２を外部ネットワークに接続する際、ＬＡＮケーブル上を伝送されるＥｔｈｅｒｎｅｔ（登録商標）形式のデータを光通信回線データ形式に変換する処理を行う。
【００２２】
６はインターネット上にあるサーバであり、このサーバ上にフレーム画像（背景画像）ファイルなどの記録用コンテンツが格納されている。サーバ６とルータ４は、光通信回線８により接続され、１００ＭＢｐｓの伝送速度でデータ送受信を行うことができる。
【００２３】
図２は、本発明の実施例である記録装置の構成を示すブロック図である。
【００２４】
同図において、１１は記録装置１の各部の制御を行うＣＰＵ、１２はデータ／アドレスバス、１３はＲＯＭ、１４はＲＡＭである。ＣＰＵ１１はデータ／アドレスバス１２を経由してＲＯＭ１３とＲＡＭ１４にアクセスし、ＲＯＭ１３に格納されているプログラムを実行することにより記録装置を動作させる。
【００２５】
１５は表示部であり、本実施例ではＱＶＧＡサイズの２．５インチ液晶ディスプレイにより構成され、ユーザに対してメッセージを表示する。また、１６は操作部であり、ユーザが装置を操作する際に使用する各種のキーから構成されている。また、１７はＰＣインタフェース（Ｉ／Ｆ）部であり、ＵＳＢケーブルを経由してＰＣと接続することができる。
【００２６】
１８は画像処理部であり、各種の画像変換処理を行う。具体的には、複数の画像ファイルの合成処理、読み取った画像の濃度変換処理、色補正処理などを行うものである。また、１９は記録処理部であり、画像処理部で生成されたデータをインクジェット用の記録ヘッドで記録できる形式に変換処理する。また、２０は読み取り処理部であり、原稿を読み取るＣＩＳ（Ｃｏｎｔａｃｔ  Ｉｍａｇｅ  Ｓｅｎｓｏｒ）から構成される。
【００２７】
２１は外部メモリカードＩ／Ｆ部であり、ＣＦカード、ＳＤカードなどの各種のメモリカードを接続し、メモリカードに格納されているデータを読み出すことができる。また、２２は画像格納部であり、相対的に小さなサイズのフレーム画像ファイルを格納する不揮発性メモリから構成される。また、２３はＬＡＮコントローラであり、ネットワークとの間でＥｔｈｅｒｎｅｔ（登録商標）プロトコルによるデータ送受信を行うためのデータ変換処理を行う。
【００２８】
２４は画像選択部であり、記録前の画像処理を行う画像データを選択する機能を有する。画像選択部２４はファームウェアにより実現することができる。また、２５はフレーム画像の格納場所を記憶するテーブルであり、本記録装置で使用することのできるフレーム画像ごとに、それらの格納場所を関連付けて記憶している。ネットワーク上に保管されているデータの場合は、相対的に大きなサイズのフレーム画像が保管されているサーバのＵＲＬが記憶されている。また、２６は画像格納部２２に格納されているフレーム画像ごとに、それぞれを記録に使用できる記録媒体のサイズを記憶するテーブルである。ＲＯＭ１３の一部を使用することも可能である。
【００２９】
図３（ａ）は本体の外観図であり、同図において、３１は操作部、３２は表示部、３３は排紙トレイ、３４はメモリカード接続部、３５は原稿給紙部、３６は原稿置き台である。
【００３０】
図３（ｂ）は操作部３１の詳細図である。同図において、３７は電源キー、３８はコピーモードに設定するためのコピーキー、３９はスキャナモードの設定するためのスキャナキー、４０はメモリカードを使用するモードに設定するためのメモリカードキーである。また、４１はエラー表示ランプ、４２は液晶表示部、４３はメニューを表示する時に使用するメニューキー、４４は記録媒体のサイズなどを設定する設定キー、４５はストップキーである。４６及び４７はそれぞれオートシートフィーダランプ及びカセットランプであり、給紙元の設定状態を表示する。４８は給紙切り替えキーであり、給紙元をオートシートフィーダとするかカセットとするかの切り替えを行うためのキーである。４９は日付指定キーであり、メモリカード内の写真画像を選択する時に使用する。５０はナビシートモードキーであり、ナビシートを記録する時に使用する。５１は一つ前の画面に戻るためのキー、５２は操作を確定する時に使用するセットキー、５３は表示されたメニューをスクロールするための十字キー、５４は写真画像のトリミング処理を行う際に使用するトリミングキーである。また、５５はモノクロコピーのスタートキー、５６はカラーコピーのスタートキーである。
【００３１】
図４（ａ）は記録するフレーム画像や入力可能な写真画像を選択するためのナビシートの概略図である。
【００３２】
同図において、上部のＡ〜Ｈまでの矩形はフレーム画像を示し、これらの下部の矩形はメモリカードから入力した写真画像のサムネイル画像を示す。
【００３３】
図４（ｂ）はフレーム画像及びその選択部分の詳細を示し、フレーム画像の下には記録する際の条件としての記録する記録媒体のサイズを選択するための記入部（マーキング部分）が設けられている。ユーザは記録する記録媒体のサイズを、マーキング部分を塗りつぶすことにより選択する。同図においては、Ａ４が選択されていることを示している。フレーム画像の枠内の数字に対応させて選択した写真画像をどこに配置するかを指定する。
【００３４】
図４（ｃ）は写真画像のサムネイル画像及びその写真画像の選択部分の詳細を示し、写真画像の下にはフレーム画像のどこの枠に配置するかを指定するためのマーキング部が設けられている。ユーザによる選択方法は記録媒体のサイズを選択する場合と同様であり、同図においては、図４（ｂ）の枠ａに配置することが指定されている状態を示している。
【００３５】
図５は、上記のように選択されたフレーム画像と写真画像とを合成して記録した結果の例である。
【００３６】
図６は、ネットワークからフレーム画像をダウンロードする時の通信シーケンスの例を示す図である。
【００３７】
記録装置からサーバにＨＴＴＰ（Ｈｙｐｅｒ  Ｔｅｘｔ  Ｔｒａｎｓｆｅｒ  Ｐｒｏｔｏｃｏｌ）でコネクション要求がされると、サーバによりコネクションが許可される。そして、記録装置からインデックス（ｉｎｄｅｘ）を取得する要求がされると、サーバにより許可される。そして、記録装置から所望のＪＰＥＧ画像データ（ｉｍａｇｅ１．ｊｐｅｇ）を取得する要求がされると、サーバにより許可されてＪＰＥＧ画像データがダウンロードされる。
【００３８】
図７は、フレーム画像と写真画像とを合成して記録する際のフローチャートである。
【００３９】
以下、図７のフローチャートを用いて、フレーム画像と写真画像とを合成して記録するフレーム合成記録の際の動作を説明する。
【００４０】
ユーザによってメニューキー４３が押下されると、記録装置は使用可能な機能として「コピー」「写真記録」「フレーム合成記録」「スキャナ」と液晶表示部４２に表示する。十字キー５３を使って「フレーム合成記録」が選択され、セットキー５２が押下されると、フレーム合成記録機能が起動される（ステップＳ１０５）。
【００４１】
フレーム合成記録が起動されると、記録装置はメモリカードインターフェイス部２１にアクセスし、メモリカードの有無及びメモリカード内の画像データの有無を確認する（ステップＳ１１０）。メモリカードが無い場合またはメモリカード内に画像データがない場合などメモリカードの画像データを読み込めない場合、「メモリカードに画像がありません」と液晶表示部４２にエラー表示をして（ステップＳ１１５）、フレーム合成記録機能を終了する。
【００４２】
メモリカードから画像データを読み込むことができた場合には、記録装置に格納されているフレーム画像の画像データを読み込む。そして、このフレーム画像の画像データとメモリカードから読み込んだ写真画像の画像データとをＲＡＭ１４に格納する。続いて、ＲＡＭ１４に格納されたフレーム画像及び写真画像の画像データは画像処理部１８、記録処理部１９によって図４に示すナビシートの記録画像に変換され、ナビシートを記録する（ステップＳ１２０）。
【００４３】
ナビシートが記録されると、液晶表示部４２に「使用する画像をマークしてからスキャナにおいて、セットキーを押してください。」と表示する。ユーザが使用するフレーム画像と写真画像とにマークし、スキャナに置いてセットキーを押すと（ステップＳ１２５）、記録装置は読み取り処理部２０によりナビシートを読み取る（ステップＳ１３０）。読み取り処理部２０は、読み取った画像の中のマーキング部分を検出し、正しくマークされているかどうかを確認する（ステップＳ１３５）。必要な箇所がマークされていない場合、フレームの枠の数とマークされた写真画像の数が一致していない場合などには、「マーク箇所に間違いがあります。やり直してください。」と液晶表示部４２にエラー表示をして（ステップＳ１４０）、ステップＳ１２５に戻る。正しくマークされていることが確認されると、選択されたフレーム画像が画像格納部２２に格納されているかどうかを画像格納場所テーブル２５により確認する（ステップＳ１４５）。
【００４４】
ステップＳ１４５で選択されたフレーム画像が画像格納部２２に格納されていないと判明した場合、ネットワークからフレーム画像をダウンロードする必要がある。また、ステップＳ１５０で画像格納部２２に格納されている画像は記録を行おうとするサイズの記録媒体に記録できないと判明した場合、ネットワークからフレーム画像をダウンロードする必要がある。
【００４５】
本実施例においては、例えば、図４（ａ）のフレーム画像ＨをＡ４用紙に記録することが選択されているとする。記録装置はフレーム画像Ｈを内蔵しているが、内蔵している画像は２００万画素相当で約５００ＫＢの画像であるとする。この場合、Ａ４用紙に記録するには不十分である。そこで、このような場合、画像格納場所テーブルを検索し、フレーム画像が格納されているサーバのＵＲＬを入手する（ステップＳ１５５）。
【００４６】
フレーム画像の格納場所が判明すると、図６に示すＨＴＴＰの通信シーケンスによって所定のＵＲＬから画像データをダウンロードする。具体的には、コネクション要求メッセージを送信し、サーバからコネクション許可メッセージを受信すると、画像データ要求メッセージ“ＧＥＴ  ／ｉｍａｇｅ１．ｊｐｅｇ  ＨＴＴＰ／１．０”を送信する（ステップＳ１６０）。そして、所望のフレーム画像をダウンロードする（ステップＳ１６５）。ネットワークからダウンロードした画像は、例えば、８００万画素相当の画像で約５ＭＢのファイルサイズであるとする。光通信回線の通信速度が約１００Ｍｂｐｓであるとすると、５ＭＢのファイルは約０．４秒でダウンロードすることができる。
【００４７】
この通信シーケンスが正常に終了しないでフレーム画像をダウンロードできなかった場合、「通信エラーが発生しました」と液晶表示部４２にエラー表示をして（ステップＳ１７０）、ステップＳ１０５に戻る。一方、正常にダウンロードできた場合、ダウンロードしたフレーム画像をＲＡＭ１４に格納する（ステップＳ１７５）。
【００４８】
続いて、ナビシートで選択された写真画像の画像データをメモリカードから読み出し、ＲＡＭ１４に格納する（ステップＳ１８０）。ＲＡＭ１４に格納されたフレーム画像の画像データと写真画像の画像データとを画像処理部１８において合成処理を行い（ステップＳ１８５）、合成処理した画像データを記録処理部１９において記録データに変換する（ステップＳ１９０）。
【００４９】
記録データを記録ヘッドに転送して記録処理を実行し（ステップＳ１９５）、図５に示されるようなフレーム合成された画像の記録が完了する。
【００５０】
なお、ステップＳ１５０において、記録を行おうとする記録媒体が予め定められたサイズであるＬ判サイズあるいはこのサイズ以下の記録媒体である場合は、記録装置に格納されている２００万画素相当のフレーム画像で十分な記録画質を得ることができる。そこで、この場に合はネットワークにアクセスすることなくステップＳ１８０に進み、ナビシートで選択された写真画像の画像データをメモリカードから読み出し、ＲＡＭ１４に格納する。そして、記録装置に格納されているフレーム画像とメモリカード内の写真画像を合成し（ステップＳ１８５）、記録データに変換して（ステップＳ１９０）、フレーム合成記録を実行する（ステップＳ１９５）。
【００５１】
以上のように、使用頻度が高くサイズの小さいＬ判サイズの記録媒体に記録する場合には記録装置に格納されているフレーム画像を使用する。そして、Ｌ判サイズを超えるような使用頻度は低いがサイズの大きいＡ４サイズなどの記録媒体に記録する場合にはネットワーク上のサーバからダウンロードしたフレーム画像を使用する。このことにより、ＰＣを使うことなく、ユーザが所望するフレーム合成記録を簡単に行うことができる。
【００５２】
なお、ネットワーク上に保存されているフレーム画像は簡単に変更したり、追加したりすることができる。そのため、ネットワーク上のフレーム画像が更新された時には、更新されたフレーム画像を記録装置で選択できるようにすることが望ましい。そこで、ネットワーク上のフレーム画像が更新された時には、更新された情報をサーバからダウンロードし、サーバ上のＵＲＬを記憶している格納場所テーブル２５を更新するようにすることができる。さらに、新たにサーバに追加されたフレーム画像の画像データをダウンロードし、ナビシートを記録する際には新たに追加されたフレーム画像を用いて記録することができるようにする。このような更新処理を行わせることにより、常に最新のフレーム画像を使用することが可能になる。
【００５３】
（実施例２）
実施例１は、ナビシートを記録し、ナビシートによってユーザが合成する写真画像やフレーム画像を選択する記録装置及び記録方法であった。
【００５４】
しかし、写真画像やフレーム画像の選択手段はこれに限るものではない。カラー液晶表示部によりフレーム画像と写真画像を順番に表示し、使用する画像を操作部のキーによって指定することによっても、実施例１と同等の効果を得ることが可能である。
【００５５】
（実施例３）
実施例１は、記録を行おうとする記録媒体のサイズに応じて、記録装置が格納するフレーム画像を使用するかネットワークからダウンロードしたフレーム画像を使用するかを判断する記録装置及び記録方法であった。
【００５６】
しかし、記録を行おうとする記録媒体のサイズ以外の判断基準に基づいて、記録装置が格納するフレーム画像を使用するかネットワークからダウンロードしたフレーム画像を使用するかを判断する記録装置及び記録方法とすることも可能である。
【００５７】
例えば、記録を行おうとする記録媒体のサイズとしてＡ４が選択されたとしても、記録媒体の種類が光沢紙ではなく普通紙である場合には、高品位の記録が求められない仮の記録を行うものと考えられる。この場合、ネットワークからダウンロードするフレーム画像を使用するよりも、記録装置が格納するフレーム画像を使用して短時間で記録を完了することが好ましい。
【図面の簡単な説明】
【００５８】
【図１】本発明の実施例である記録装置を使用したシステム構成を示す図である。
【図２】本発明の実施例である記録装置の構成を示すブロック図である。
【図３】本発明の実施例である記録装置の外観図及び操作部を示す図である。
【図４】記録するフレーム画像や写真画像を選択するためのナビシートを示す図である。
【図５】フレーム画像と写真画像とを合成して記録した結果の例を示す図である。
【図６】ネットワークからフレーム画像をダウンロードする時の通信シーケンスの例を示す図である。
【図７】フレーム画像と写真画像とを合成して記録する際のフローチャートである。
【図８】従来の記録装置を使用したシステム構成を示す図である。
【符号の説明】
【００５９】
１  記録装置
７  サーバ
１１  ＣＰＵ
１８  画像処理部
１９  記録処理部
２２  画像格納部
２３  ＬＡＮコントローラ
【図１】
2009113376.tif 000003
【図２】
2009113376.tif 000004
【図３】
2009113376.tif 000005
【図４】
2009113376.tif 000006
【図５】
2009113376.tif 000007
【図６】
2009113376.tif 000008
【図７】
2009113376.tif 000009
【図８】
2009113376.tif 000010